【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
第１の付加画像を含む画像の画像情報が入力される入力部と、
前記画像情報を解析し、前記第１の付加画像の配置情報を取得する機能と、画像情報を
処理して画像形成の制御を行う機能を有する制御部とを有し、
前記制御部は、第２の付加画像を前記画像に付加する設定がされている場合、前記第２の付加画像の配置情報を取得して、前記第１の付加画像の配置情報と前記第２の付加画像の配置情報との比較に基づいて、前記第２の付加画像を前記第１の付加画像で代用できるかを判断し、代用できると判断される場合、前記第１の付加画像を印刷し、前記第２の付加画像を印刷しない制御を行うことを特徴とする画像形成装置。
【請求項２】
前記制御部は、前記配置情報の比較によって、前記第２の付加画像を前記第１の付加画像で代用できないと判断し、かつ、前記第１の付加画像と前記第２の付加画像とが転写媒体上で重ならないと判断する場合、前記第１の付加画像と前記第２の付加画像の双方を印刷する制御を行うことを特徴とする請求項１記載の画像形成装置。
【請求項３】
前記制御部は、前記配置情報の比較によって、前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第１の付加画像の配置情報に基づいて前記第２の付加画像を前記第１の付加画像と重ならない位置に印刷する制御を行うことを特徴とする請求項１記載の画像形成装置。
【請求項４】
前記制御部は、前記配置情報の比較によって、前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第２の付加画像の色を変更して印刷する制御を行うことを特徴とする請求項１記載の画像形成装置。
【請求項５】
前記第２付加画像で変更された色が、前記第１の付加画像の色と異なるものであることを特徴とする請求項４記載の画像形成装置。
【請求項６】
前記制御部は、前記配置情報の比較によって前記第１の付加画像で前記第２の付加画像が代用できないと判断し、かつ前記第１の付加画像と前記第２の付加画像とが転写媒体上で重なると判断する場合は、前記第１の付加画像を転写媒体上に印刷するとともに、前記第２の付加画像の形状を変更して前記転写媒体上に印刷する制御を行うことを特徴とする請求項１、４、５のいずれか１項に記載の画像形成装置。
【請求項７】
前記第２の付加画像で変更された形状が、前記第１の付加画像の形状と異なるものであることを特徴とする請求項６記載の画像形成装置。
【請求項８】
前記制御部は、前記配置情報の比較によって前記第２の付加画像を前記第１の付加画像で代用できないと判断し、かつ前記第１の付加画像と前記第２の付加画像とが転写媒体上で重なると判断する場合は、前記第１の付加画像を印刷するとともに、前記第１の付加画像の配置情報に基づいて前記第２の付加画像の位置をずらして印刷する制御を行うことを特徴とする請求項４〜７のいずれか１項に記載の画像形成装置。
【請求項９】
前記制御部は、前記第２の付加画像が前記第１の付加画像と識別して画像の読取りが行われるように、前記第２の付加画像の配置を変更することを特徴とする請求項４〜８のいずれか１項に記載の画像形成装置。
【請求項１０】
前記第２の付加画像の変更が、前記第２の付加画像の位置、形状および色の少なくとも一つを変更するものであることを特徴とする請求項９に記載の画像形成装置。
【請求項１１】
前記第１の付加画像と前記第２の付加画像がトンボであることを特徴とする請求項１〜１０のいずれか１項に記載の画像形成装置。
【請求項１２】
前記制御部は、前記第１の付加画像で前記第２の付加画像が代用できるかを、それぞれのトンボの位置、トンボを構成する線の太さおよび複数の線が交わる角度を含む判定基準に基づいて判断することを特徴とする請求項１１記載の画像形成装置。
【請求項１３】
前記制御部は、前記第２の付加画像の配置の変更を行った場合、前記第２の付加画像を読み取って画像の検査を行う検査部に通知することを特徴とする請求項４〜１２のいずれか１項に記載の画像形成装置。
【請求項１４】
前記制御部は、画像形成装置全体を制御する制御ＣＰＵを含み、該制御ＣＰＵによって、前記画像情報を解析し、前記第１の付加画像の配置情報を取得するとともに、画像情報を処理して画像形成の制御を行うことを特徴とする請求項１〜１３のいずれか１項に記載の画像形成装置。
【請求項１５】
前記制御部は、画像形成装置全体を制御する画像制御ＣＰＵと前記入力部に設けられた入力部制御部とを含み、前記入力部制御部によって、前記画像情報を解析し、前記第１の付加画像の配置情報を取得し、前記画像制御ＣＰＵによって、画像情報を処理して画像形成の制御を行うことを特徴とする請求項１〜１３のいずれか１項に記載の画像形成装置。
【請求項１６】
前記制御部は、前記画像情報に含まれるタグ情報に基づいて前記第１の付加画像の解析を行うことを特徴とする請求項１〜１５のいずれか１項に記載の画像形成装置。
【請求項１７】
前記制御部は、前記画像情報の画像データに基づいて前記第１の付加画像の解析を行うことを特徴とする請求項１〜１６のいずれか１項に記載の画像形成装置。
【請求項１８】
前記画像情報は、ページ記述言語で作成されたジョブをイメージデータに変換したプリンタコントローラから前記入力部に送信されたものであることを特徴とする請求項１〜１７のいずれか１項に記載の画像形成装置。
【請求項１９】
前記プリンタコントローラを備えることを特徴とする請求項１８に記載の画像形成装置。
【請求項２０】
前記第１の付加画像は、前記画像情報に含まれて、前記プリンタコントローラで受信したものであることを特徴とする請求項１８または１９に記載の画像形成装置。
【請求項２１】
前記第１の付加画像は、前記プリンタコントローラにおいて前記画像情報に含まれたものであることを特徴とする請求項１８または１９に記載の画像形成装置。
【請求項２２】
第１の付加画像を含む画像の画像情報が入力される入力部と、
前記画像情報を解析し、前記第１の付加画像の転写媒体上における配置情報を取得し、画像情報を処理して画像形成の制御を行う制御部とを有し、
前記制御部は、第２の付加画像を前記画像に付加する設定がなされている場合、前記第２の付加画像の配置情報を取得して、前記第１の付加画像の配置情報と前記第２の付加画像の配置情報の比較に基づいて、前記第２の付加画像を前記第１の付加画像で代用できるかを判断し、代用できると判断される場合、前記第１の付加画像を印刷し、前記第２の付加画像を印刷しない制御を行うことを特徴とする画像形成システム。
【請求項２３】
画像情報が入力される入力部で制御を行う制御部で実行されるプログラムであって、
第１の付加画像を含む画像の画像情報を受けて、前記画像情報を分析して転写媒体上における前記第１の付加画像の配置情報を取得するステップと、
第２の付加画像を前記画像に付加する設定の場合、前記第２の付加画像の配置情報を取得して、前記第１の付加画像の配置情報と前記第２の付加画像の配置情報の比較に基づいて、前記第２の付加画像を前記第１の付加画像で代用できるかを判断するステップと、
前記第２の付加画像を前記第１の付加画像で代用できると判断される場合、前記第１の付加画像を印刷し、前記第２の付加画像を印刷しないステップと、を有することを特徴とするプログラム。
【請求項２４】
画像情報を処理して画像形成の制御を行う制御部で実行されるプログラムであって、
第１の付加画像を含む画像の画像情報を受けて、前記画像情報を分析して転写媒体上における前記第１の付加画像の配置情報を取得するステップと、
第２の付加画像を前記画像に付加する設定の場合、前記第２の付加画像の配置情報を取得して、前記第１の付加画像の配置情報と前記第２の付加画像の配置情報の比較に基づいて、前記第２の付加画像を前記第１の付加画像で代用できるかを判断するステップと、
前記第２の付加画像を前記第１の付加画像で代用できると判断される場合、前記第１の付加画像を印刷し、前記第２の付加画像を印刷しないステップと、を有することを特徴とするプログラム。
【手続補正２】
【補正対象書類名】明細書
【補正対象項目名】０００７
【補正方法】変更
【補正の内容】
【０００７】
すなわち、本発明の画像形成装置のうち、第１の形態は、第１の付加画像を含む画像の画像情報が入力される入力部と、
前記画像情報を解析し、前記第１の付加画像の配置情報を取得する機能と、画像情報を処理して画像形成の制御を行う機能を有する制御部とを有し、
前記制御部は、第２の付加画像を前記画像に付加する設定がされている場合、前記第２の付加画像の配置情報を取得して、前記第１の付加画像の配置情報と前記第２の付加画像の配置情報との比較に基づいて、前記第２の付加画像を前記第１の付加画像で代用できるかを判断し、代用できると判断される場合、前記第１の付加画像を印刷し、前記第２の付加画像を印刷しない制御を行うことを特徴とする。
【手続補正３】
【補正対象書類名】明細書
【補正対象項目名】００２９
【補正方法】変更
【補正の内容】
【００２９】
本発明の画像形成システムのうち、第１の形態は、第１の付加画像を含む画像の画像情報が入力される入力部と、前記画像情報を解析し、前記第１の付加画像の転写媒体上における配置情報を取得し、画像情報を処理して画像形成の制御を行う制御部とを有し、
前記制御部は、第２の付加画像を前記画像に付加する設定がなされている場合、前記第２の付加画像の配置情報を取得して、前記第１の付加画像の配置情報と前記第２の付加画像の配置情報の比較に基づいて、前記第２の付加画像を前記第１の付加画像で代用できるかを判断し、代用できると判断される場合、前記第１の付加画像を印刷し、前記第２の付加画像を印刷しない制御を行うことを特徴とする。
【手続補正４】
【補正対象書類名】明細書
【補正対象項目名】００３０
【補正方法】変更
【補正の内容】
【００３０】
本発明のプログラムのうち、第１の形態は、画像情報が入力される入力部で制御を行う制御部で実行されるプログラムであって、第１の付加画像を含む画像の画像情報を受けて、前記画像情報を分析して転写媒体上における前記第１の付加画像の配置情報を取得するステップと、
第２の付加画像を前記画像に付加する設定の場合、前記第２の付加画像の配置情報を取得して、前記第１の付加画像の配置情報と前記第２の付加画像の配置情報の比較に基づいて、前記第２の付加画像を前記第１の付加画像で代用できるかを判断するステップと、
前記第２の付加画像を前記第１の付加画像で代用できると判断される場合、前記第１の付加画像を印刷し、前記第２の付加画像を印刷しないステップと、を有することを特徴とする。
【手続補正５】
【補正対象書類名】明細書
【補正対象項目名】００３１
【補正方法】変更
【補正の内容】
【００３１】
他の形態のプログラムは、画像情報を処理して画像形成の制御を行う制御部で実行されるプログラムであって、第１の付加画像を含む画像の画像情報を受けて、前記画像情報を分析して転写媒体上における前記第１の付加画像の配置情報を取得するステップと、第２の付加画像を前記画像に付加する設定の場合、前記第２の付加画像の配置情報を取得して、前記第１の付加画像の配置情報と前記第２の付加画像の配置情報の比較に基づいて、前記第２の付加画像を前記第１の付加画像で代用できるかを判断するステップと、
前記第２の付加画像を前記第１の付加画像で代用できると判断される場合、前記第１の付加画像を印刷し、前記第２の付加画像を印刷しないステップと、を有することを特徴とする。